【手続補正書】
【提出日】平成17年9月14日(2005.9.14)
【手続補正１】
【補正対象書類名】特許請求の範囲
【補正対象項目名】全文
【補正方法】変更
【補正の内容】
【特許請求の範囲】
【請求項１】
分子標的とプローブ分子との特異的相互作用を検出するための反応容器であって、実験用反応容器（チューブ）に典型的な形状と寸法とを有し、所定領域にプローブ分子が固定化された支持要素がその基部表面中の１表面に配置されていることを特徴とする反応容器。
【請求項２】
前記実験用反応容器の基部表面が前記支持要素を受承するための凹所を有することを特徴とする請求項１に記載の反応容器。
【請求項３】
支持要素の検出表面の部分が光学的に透過性であることを特徴とする請求項１または２に記載の反応容器。
【請求項４】
前記検出表面と向かい合う基部表面が光学的に透過性であることを特徴とする請求項１〜３のいずれか１項に記載の反応容器。
【請求項５】
前記支持要素の材料がガラスおよびシリコンのうち少なくともいずれかであることを特徴とする請求項１〜４のいずれか１項に記載の反応容器。
【請求項６】
前記支持要素の材料が、Ｂｏｒｏｆｌｏａｔ（登録商標）３３、石英ガラス、単結晶ＣａＦ２および単結晶シリコンからなる群から選択されることを特徴とする請求項１〜４のいずれか１項に記載の反応容器。
【請求項７】
前記容器の材料が、ガラスと、ガラスセラミックと、プラスチック被覆ガラスと、プラスチックと、金属とからなる群から選択されることを特徴とする請求項１〜６のいずれか１項に記載の反応容器。
【請求項８】
前記プラスチックが、ポリプロピレン、ポリエチレン、ポリスチレン、ポリカーボネート、ＰＶＣ、ポリメチルメタクリレート、シリコンプラスチック、ゴム、ポリテトラフルオロエチレンおよびナイロンのうち少なくともいずれかであることと、前記金属が、ステンレス鋼、白金およびアルミニウムのうち少なくともいずれかであることとのうち少なく
ともいずれかを特徴とする請求項７に記載の反応容器。
【請求項９】
１００μｌ〜２．５ｍｌの範囲の充填容積を有することを特徴とする請求項１〜８のいずれか１項に記載の反応容器。
【請求項１０】
１．５ｍｌの充填容積を有することを特徴とする請求項９に記載の反応容器。
【請求項１１】
固定化プローブ分子がタンパク質ライブラリー、ペプチドライブラリーおよび核酸ライブラリーからなる群から選択される物質ライブラリーであることを特徴とする請求項１〜１０のいずれか１項に記載の反応容器。
【請求項１２】
前記タンパク質ライブラリーが抗体ライブラリー、受容体タンパク質ライブラリーおよび膜タンパク質ライブラリーのうち少なくともいずれかであることを特徴とする請求項１１に記載の反応容器。
【請求項１３】
前記ペプチドライブラリーが受容体リガンドのライブラリー、薬理学的に活性なペプチドのライブラリーおよびペプチドホルモンのライブラリーのうち少なくともいずれかであることを特徴とする請求項１１に記載の反応容器。
【請求項１４】
前記核酸ライブラリーがＤＮＡ分子ライブラリーおよびＲＮＡ分子ライブラリーのうち少なくともいずれかであることを特徴とする請求項１１に記載の反応容器。
【請求項１５】
分子標的とプローブ分子との特異的相互作用を検出するための装置であって、
ａ）請求項１〜１４のいずれか１項に記載の少なくとも１つの反応容器と、
ｂ）該特異的相互作用を検出するための検出装置と、
からなる装置。
【請求項１６】
前記検出装置がカメラからなることを特徴とする請求項１５に記載の装置。
【請求項１７】
前記検出装置がさらに読み出し光学部品を備えてなることを特徴とする請求項１６に記載の装置。
【請求項１８】
前記カメラがＣＣＤカメラまたはＣＭＯＳカメラであることを特徴とする請求項１６または１７に記載の装置。
【請求項１９】
さらに光源を含むことを特徴とする請求項１５〜１８のいずれか１項に記載の装置。
【請求項２０】
前記光源が支持体の均一な照射を保証することを特徴とする請求項１９に記載の装置。
【請求項２１】
光源がスペクトル干渉により支持体の均一な照射を保証する複数の拡散発光光源からなる照射アレイであることを特徴とする請求項１９または２０に記載の装置。
【請求項２２】
光源がレーザー、発光ダイオード（ＬＥＤ）、表面発光体および高圧ランプからなる群から選択されることを特徴とする請求項１９〜２１のいずれか１項に記載の装置。
【請求項２３】
反応容器の蓋が均一な照射を保証するように構成されていることを特徴とする請求項１５〜２２のいずれか１項に記載の装置。
【請求項２４】
光フィルタからさらになることを特徴とする請求項１５〜２３のいずれか１項に記載の装置。
【請求項２５】
フィルタ交換器からさらになることを特徴とする請求項２４に記載の装置。
【請求項２６】
光源と支持体との間に位置する半透明鏡からさらになることを特徴とする請求項１５〜２５のいずれか１項に記載の装置。
【請求項２７】
反応容器が検出装置と直接接触していることを特徴とする請求項１５〜２６のいずれか１項に記載の装置。
【請求項２８】
連続的な検出が保証されるように複数の反応容器が配置されていることを特徴とする請求項１５〜２７のいずれか１項に記載の装置。
【請求項２９】
温度制御ユニットからさらになることを特徴とする請求項１５〜２８のいずれか１項に記載の装置。
【請求項３０】
検出装置により記録される信号強度を収集するためにプログラムされているコンピュータからさらになることを特徴とする請求項１５〜２９のいずれか１項に記載の装置。
【請求項３１】
前記コンピュータが、仮想信号強度のアナログ像への変換を保証するためにさらにプログラムされていることを特徴とする請求項３０に記載の装置。
【請求項３２】
分子標的とプローブ分子との特異的相互作用を検出する方法であって、
ａ）請求項１〜１４のいずれか１項に記載の反応容器または請求項１５〜３１のいずれか１項に記載の装置を用意する工程と、
ｂ）該標的を、所定領域またはアレイ要素上に配置されているプローブ分子と相互作用させる工程と、
ｃ）相互作用を検出する工程と、
からなる方法。
【請求項３３】
前記相互作用を検出するために、相互作用が起こるアレイ要素上に析出物を生じる反応を行うことを特徴とする請求項３２に記載の方法。
【請求項３４】
工程ｃ）において、前記析出物の生成の時間的推移を、前記アレイ要素上で信号強度の形で検出することを特徴とする請求項３３に記載の方法。
【請求項３５】
前記アレイ要素上に析出物の形成をもたらす反応が、可溶性基質の金属析出物への変換であることを特徴とする請求項３３または３４に記載の方法。
【請求項３６】
前記アレイ要素上に析出物の形成をもたらす反応が、元素銀を形成するための、銀化合物の化学的還元であることを特徴とする請求項３５に記載の方法。
【請求項３７】
前記銀化合物が、硝酸銀、乳酸銀、酢酸銀または酒石酸銀であることを特徴とする請求項３６に記載の方法。
【請求項３８】
還元剤がホルムアルデヒドおよびヒドロキノンからなる群から選択されることを特徴とする請求項３６または３７に記載の方法。
【請求項３９】
可溶性基質の金属析出物への変換が、標的に結合した金属クラスターまたはコロイド状金属粒子の存在下で起こることを特徴とする請求項３５〜３８のいずれか１項に記載の方法。
【請求項４０】
可溶性基質の金属析出物への変換が、金クラスターまたはコロイド状金粒子の存在下で起こることを特徴とする請求項３９に記載の方法。
【請求項４１】
金属クラスターまたはコロイド状金属粒子の標的への結合が、直接または標的に結合したアンカー分子を介して起こることを特徴とする請求項３９または４０に記載の方法。
【請求項４２】
標的とプローブとの相互作用が、２つのヌクレオチド配列間のハイブリッド形成であることを特徴とする請求項３２〜４１のいずれか１項に記載の方法。
【請求項４３】
アレイ要素上の析出物の存在の検出が、光線の、析出物による反射、吸収または拡散によって行われることを特徴とする請求項３２〜４２のいずれか１項に記載の方法。
【請求項４４】
前記光線がレーザー光線もしくは発光ダイオードであることを特徴とする請求項４３に記載の方法。
【請求項４５】
マイクロアレイを用いる試験を行うための、請求項１〜１４のいずれか１項に記載のデバイスまたは請求項１５〜３１のいずれか１項に記載の装置の使用。